(57)【要約】      （修正有）【課題】内容物を容易に出すことができる弁当容器を提供する。【解決手段】弁当容器１０は、内容物を収容するための本体２０であって、内容物が通過可能な開口を有する、本体２０と、開口を覆うように本体２０に対して取り外し可能に取り付けられる、蓋３０と、を備える。本体２０の外面には、押圧部２７が設けられている。押圧部２７が、本体２０の外側から押圧されることによって本体２０の内側に向かって変形可能である。押圧部２７の変形によって内容物が開口から押し出される。【選択図】図１
0003213297.tif 000002
【実用新案登録請求の範囲】
【請求項１】
内容物を収容するための本体であって、前記内容物が通過可能な開口を有する、本体と、
前記開口を覆うように前記本体に対して取り外し可能に取り付けられる、蓋と、
を備える、弁当容器であって、
前記本体の外面には、押圧部が設けられており、
前記押圧部が、前記本体の外側から押圧されることによって前記本体の内側に向かって変形可能であり、前記押圧部の変形によって前記内容物が前記開口から押し出される、弁当容器。
【請求項２】
前記押圧部が、前記開口と対向する壁部の外面に設けられている、請求項１に記載の弁当容器。
【請求項３】
前記押圧部が、前記本体の外側に向かって突出するように形成されている、請求項１又は２に記載の弁当容器。
【請求項４】
前記本体の前記外面には、凹部が設けられており、
前記押圧部が、前記凹部から突出している、請求項３に記載の弁当容器。
【請求項５】
前記蓋が、押し出された前記内容物を受容する皿として使用可能である、請求項１〜４のいずれか一項に記載の弁当容器。
【考案の詳細な説明】
【技術分野】
【０００１】
本考案は、弁当容器に関する。
【背景技術】
【０００２】
従来、ごはん及びおかず等の内容物を収容するための弁当容器が知られている（例えば、特許文献１参照）。弁当容器は、一般的に、内容物を収容するための本体と、本体に設けられた開口を覆うように本体に取り付けられる蓋と、を有している。
【先行技術文献】
【特許文献】
【０００３】
【特許文献１】特開２００９−２８３２５号公報
【考案の概要】
【考案が解決しようとする課題】
【０００４】
弁当を食べる際に、消費者は、しばしば、本体から内容物を出して、皿等に盛ることを好む場合がある。この場合に、本体から内容物を容易に出すことができることが望ましい。
【０００５】
本考案は、内容物を容易に出すことができる弁当容器を提供することを目的の一つとする。
【課題を解決するための手段】
【０００６】
本開示の一態様は、内容物を収容するための本体であって、内容物が通過可能な開口を有する、本体と、開口を覆うように本体に対して取り外し可能に取り付けられる、蓋と、を備える、弁当容器であって、本体の外面には、押圧部が設けられており、押圧部が、本体の外側から押圧されることによって本体の内側に向かって変形可能であり、押圧部の変形によって内容物が開口から押し出される、弁当容器である。
【０００７】
本開示の一態様によれば、弁当容器の本体が、内側に向かって変形することによって内容物を押し出す押圧部を有している。したがって、本体から内容物を出すときに、例えば箸等を用いることなく、押圧部を押すだけで内容物を容易に出すことができる。
【０００８】
押圧部が、開口と対向する壁部の外面に設けられていてもよい。この場合、押圧部が開口に向かって変形するため、内容物が開口からより容易に押し出されやすくなる。
【０００９】
押圧部が、本体の外側に向かって突出するように形成されていてもよい。この場合、押圧部が、視認されやすくなり得、また、消費者によって押圧されやすくなり得る。
【００１０】
本体の外面には、凹部が設けられていてもよく、押圧部が、凹部から突出していてもよい。この場合、突出した押圧部が、凹部とのコントラストによってより視認されやすくなり得る。
【００１１】
蓋が、押し出された内容物を受容する皿として使用可能であってもよい。この場合、例えば、別個の皿が準備できないときに、内容物を蓋に盛ることができる。
【図面の簡単な説明】
【００１２】
【図１】第１実施形態に係る弁当容器を示す斜視図である。
【図２】図１の弁当容器の本体を示す側面図である。
【図３】図２のIII-III矢視断面図である。
【図４】図２のIV-IV線矢視断面図である。
【図５】図１の弁当容器の蓋を示す断面図である。
【図６】図１の弁当容器の蓋に盛られた内容物を示す斜視図である。
【考案を実施するための形態】
【００１３】
以下、添付図面を参照して、実施形態に係る弁当容器を説明する。同様な又は対応する要素には同一の符号を付し、重複する説明は省略する。図の縮尺は、変更されている場合がある。
【００１４】
図１は、第１実施形態に係る弁当容器を示す斜視図である。図１を参照して、弁当容器（弁当箱とも称され得る）１０は、例えば、弁当屋、コンビニエンスストア、デパート、スーパーマーケット、飲食店又はその他の店において販売される弁当に使用される。弁当容器１０は、個人的に使用されるものであってもよい。弁当容器１０は、本体２０と、蓋３０と、を備えている。本体２０は、例えばごはん及びおかず等の内容物を収容する。本体２０は、例えば、ベース壁部２１と、側壁部２２と、鍔部２３と、を有している。
【００１５】
ベース壁部２１は、平面視（図１において上下方向視）において、概ね正方形である。図２は、図１の弁当容器の本体を示す側面図であり、図３は、図２のIII-III矢視断面図であり、図４は、図２のIV-IV線矢視断面図である。図２を参照して、側壁部２２は、本実施形態では、ベース壁部２１の縁からベース壁部２１に対して垂直から傾けられた方向に、すなわちテーパを有するように、延びている。側壁部２２は、ベース壁部２１に対して垂直に、すなわちテーパを有さずに、延びていてもよい。
【００１６】
図３を参照して、側壁部２２は、開口２４を有している。開口２４は、側壁部２２において、ベース壁部２１に連結された縁２５とは反対側の縁２６によって画定されている。開口２４は、内容物が通過可能なように形成されている。側壁部２２は、本実施形態では、ベース壁部２１に連結された縁２５よりも、開口２４を画定する縁２６が大きくなるように、テーパを有している。ベース壁部２１は、開口２４に対向している。
【００１７】
ベース壁部２１及び側壁部２２は、本実施形態では、開口２４を有する中空の截頭四角錐を画定している。しかしながら、ベース壁部２１及び側壁部２２は、例えば、截頭三角錐又は截頭円錐等の他の截頭錐体、多面体、錐体、又は、半球等、内容物が通過可能な開口を有する中空の他の形状を画定してもよい。
【００１８】
ベース壁部２１の一辺の長さ（すなわち、側壁部２２の縁２５の一辺の長さ）Ｌ１は、例えば約６５ｍｍである。側壁部２２の縁２６の一辺の長さ（すなわち、開口２４の一辺の長さ、及び、鍔部２３の内周縁の一辺の長さ）Ｌ２は、例えば約７６ｍｍである。これらの寸法は、上記の値に限定されず、他の値であってもよい。
【００１９】
鍔部２３は、側壁部２２の縁２６から、ベース壁部２１に対して概ね平行に放射状に外側に向かって延びており、さらに外側に向かうにつれてベース壁部２１に向かう方向に湾曲している。図１に示されるように、鍔部２３は、本実施形態では、概ね正方形の内周縁と、円形の外周縁と、を有している。鍔部２３は、他の形状を有していてもよい。
【００２０】
図３を参照して、鍔部２３の外周縁の直径Ｄ１は、例えば約１２４ｍｍである。鍔部２３の高さＨ１は、例えば約５ｍｍである。これらの寸法は、上記の値に限定されず、他の値であってもよい。
【００２１】
ベース壁部２１、側壁部２２及び鍔部２３は、例えば、真空成形等によって、一体に成形することができる。しかしながら、ベース壁部２１、側壁部２２及び鍔部２３は、例えば、別個に成形された後に、溶着、溶接又は接着剤等によって連結されてもよく、又は、他の方法によって形成されてもよい。本体２０の材料は、例えば、ポリエチレンテレフタレート（ＰＥＴ）等のプラスチックを含んでもよいが、これらに限定されない。本体２０は、例えば、透明、又は、本体２０の外側から内容物を視認可能なように半透明であってもよいが、不透明であってもよい。本体２０が透明又は半透明である場合、内容物を消費者が本体２０の外側から視認することができるため、魅力的な外観を有する弁当を提供することが可能になる。
【００２２】
図１を参照して、本体２０の外面には、押圧部２７が設けられている。押圧部２７は、本実施形態では、ベース壁部２１の外面に設けられている。しかしながら、押圧部２７は、後述する内容物を押し出す機能を有する範囲で、本体２０の他の場所の外面、例えば、側壁部２２等の外面に設けられてもよい。具体的には、本実施形態では、ベース壁部２１の外面には、凹部２８が設けられており、押圧部２７は、凹部２８から本体２０の外側に向かって突出している。これによって、押圧部２７は、消費者によって視認されやすく、かつ、消費者によって本体の外側から押圧されやすい。押圧部２７は、本体の外側から押圧されることによって、本体２０の内側に向かって（本実施形態では、開口２４に向かって）変形可能である。
【００２３】
より具体的には、図１及び図４に示されるように、弁当容器１０では、本体２０のベース壁部２１の各辺が円弧状であり、各辺の中心部が開口２４側に向かって湾曲している。これにより、ベース壁部２１には、凹部２８が設けられており、さらに、ベース壁部２１の四隅には突起２９が設けられている。なお、本体２０は、凹部２８を有していなくてもよく、この場合に、押圧部２７は、本体２０の外面から直接突出していてもよい。押圧部２７は、平面視（図１において上下方向視）において円形であるが、他の形状であってもよい。また、押圧部２７は、図３に示される断面視において円弧状であるが、多角形状等の他の形状であってもよい。図１に示されるように、押圧部２７は、ベース壁部２１の各辺の中央部において、各辺に接するように設けられている。これにより、押圧部２７が、より大きく設計されており、押圧部２７を通して内容物が見えやすくなっている。押圧部２７は、突出部以外の様々な方式によって、本体２０の内側に向かって変形可能であってもよい。例えば、押圧部２７は、平らであってもよく、この場合に、押圧部２７は、凹部２８の底部に設けられてもよく、又は、凹部２８無しに本体２０の外面に直接に設けられてもよい。この場合、押圧部２７の周縁又は全体が、押圧部２７の周りの部分よりも薄く形成されてもよい、又は、他の方法により押圧部２７の周りの部分よりも変形しやすいように形成されていてもよい。この場合にも、押圧部２７は、本体２０の外側から押圧されることによって、本体２０の内側に向かって変形可能である。
【００２４】
図３を参照して、鍔部２３から押圧部２７までの高さＨ２は、例えば約５５ｍｍ程度であり、図４を参照して、鍔部２３から突起２９までの高さＨ３も、例えば約５５ｍｍ程度である。
【００２５】
図１を参照して、押圧部２７には、押圧される部位であることを示す文字又は模様（例えば、円形の模様等）が例えばエンボス加工又は印刷等によって設けられていてもよい。押圧部２７、凹部２８及び上記の文字又は模様は、例えば、ベース壁部２１、側壁部２２及び鍔部２３が真空成形等によって成形されるときに、一緒に成形されてもよい。しかしながら、押圧部２７、凹部２８及び上記の文字又は模様は、ベース壁部２１が成形された後に別個に成形されてもよく、又は、他の方法によって形成されてもよい。なお、以上のような本体２０において、隣接する面が交わる辺は、丸められていてもよい（角Ｒを有している）。
【００２６】
図１を参照して、蓋３０は、開口２４を覆うように、本体２０に対して取外し可能に取り付けられている。図５は、図１の弁当容器の蓋を示す断面図である。具体的には、蓋３０は、本実施形態では、鍔部２３に概ね対応する形状を有しており、概ね円板状である。蓋３０は、他の形状を有していてもよい。蓋３０は、本体２０の開口２４よりも大きな皿のような形状を有している。蓋３０は、径方向の中心部から外側に放射状に延び、径方向の外側付近において僅かに弁当容器１０の外側（図５において下側）に向かって湾曲し、その後、径方向の外側に向かうにつれて本体２０側（図５において上側）に向かって湾曲し、その後、径方向の外側にさらに向かうにつれて弁当容器１０の外側に向かってさらに湾曲している。蓋３０において、径方向における外側部分は、鍔部２３に沿うように湾曲しており、鍔部２３の湾曲部及び蓋３０の湾曲部が、ロック機構を形成している。具体的には、鍔部２３の湾曲部及び蓋３０の湾曲部は、互いに嵌合するように構成されている。ロック機構により、蓋３０は、本体２０（鍔部２３）に対して取外し可能に取り付けられる。蓋３０は、本実施形態では、詳しくは後述するように、押し出された内容物を受容する皿として使用可能である。蓋３０は、本体２０に対して取外し可能に取り付けられる範囲で、他の形状を有していてもよい。
【００２７】
蓋３０の内径Ｄ２は、例えば鍔部２３の外周縁の直径Ｄ１と同様であり、例えば約１２４ｍｍである。蓋３０の外径Ｄ３は、例えば約１５０ｍｍである。蓋３０の高さＨ４は、例えば約１２ｍｍである。これらの寸法は、上記の値に限定されず、他の値であってもよい。
【００２８】
蓋３０は、例えば、真空成形等によって成形することができる。しかしながら、蓋３０は、他の方法によって形成されてもよい。蓋３０の材料は、例えば、ポリスチレン（ＰＳ）又はポリプロピレン（ＰＰ）等のプラスチックを含んでもよいが、これらに限定されない。蓋３０は、例えば、不透明であってもよいが、透明、又は、本体２０の外側から内容物を視認可能なように半透明であってもよい。
【００２９】
次に、弁当容器１０の使用方法について説明する。図６は、図１の弁当容器の蓋に盛られた内容物を示す斜視図である。
【００３０】
消費者は、例えば、先ず、蓋３０が下に位置する状態で弁当容器１０をテーブル等に置く。次に、消費者は、例えば、指等によって、押圧部２７を本体２０の内側に向かって押圧する。これによって、押圧部２７が本体２０の内側に向かって変形し、本体２０に収容された内容物を、開口２４から押し出す。また、これと同時に、又は、これに続いて、本体２０が蓋３０から取り外される。以上によって、図６に示されるように、内容物Ｃが蓋３０に盛られる。すなわち、本実施形態では、蓋３０が、押し出された内容物Ｃを受容する皿として使用可能である。
【００３１】
弁当容器１０に収容される内容物Ｃは、様々な食べ物であってよい。例えば、弁当容器１０には、蓋３０側から、ごはんＷ、及び、おかず又は具Ｍの順番（すなわち、ベース壁部２１側から、おかず又は具Ｍ、及び、ごはんＷの順番）で、層状に内容物Ｃが収容されていてもよい。この場合、例えば、弁当屋等において、ベース壁部２１が下に位置する状態で弁当容器１０が置かれるとき、おかず又は具ＭがごはんＷの重さで圧縮され得る。したがって、内容物が蓋３０に盛られたときに、おかず又は具Ｍが崩れにくい可能性がある。また、本体２０が透明又は半透明である場合、上記のように層状に弁当容器１０に収容された内容物Ｃを、消費者が本体２０の外側から視認することができるため、より魅力的な外観を有する弁当を提供することが可能になる。
【００３２】
以上、本実施形態に係る弁当容器１０では、本体２０が、内側に向かって変形することによって内容物Ｃを押し出す押圧部２７を有している。したがって、本体２０から内容物Ｃを出すときに、例えば箸等を用いることなく、押圧部２７を押すだけで内容物Ｃを容易に出すことができる。
【００３３】
弁当容器１０では、押圧部２７が、開口２４と対向するベース壁部２１の外面に設けられている。したがって、押圧部２７が開口２４に向かって変形するため、内容物Ｃが開口２４からより容易に押し出されやすくなる。
【００３４】
弁当容器１０では、押圧部２７が、本体２０の外側に向かって突出するように形成されている。したがって、押圧部２７は、消費者によって視認されやすく、かつ、消費者によって本体２０の外側から押圧されやすい。
【００３５】
弁当容器１０では、本体２０の外面には、凹部２８が設けられており、押圧部２７が、凹部２８から突出している。したがって、突出した押圧部２７が、凹部２８とのコントラストによってより視認されやすい。
【００３６】
弁当容器１０では、押圧部２７が、ベース壁部２１の各辺に接するように設けられていることによって、より大きく設計されているため、押圧部２７を通して内容物が見えやすくなっている。したがって、弁当容器１０は、より魅力的な外観を強調することができる。また、弁当容器１０のベース壁部２１の四隅には、突起２９が設けられている。これにより、例えば、複数の弁当容器１０を積重ねた場合に、下段の弁当容器１０の突起２９によって上段の弁当容器１０を支えることができるため、下段の弁当容器１０の押圧部２７が上段の弁当容器１０によって潰されることを防止することができる。
【００３７】
弁当容器１０では、蓋３０が、押し出された内容物Ｃを受容する皿として使用可能である。したがって、例えば、別個の皿が準備できないときに、内容物Ｃを蓋３０に盛ることができる。
【００３８】
以上、弁当容器の実施形態について説明したが、本考案は上記の実施形態に限定されない。当業者であれば、上記の実施形態の様々な変形が可能であることを理解するだろう。
【符号の説明】
【００３９】
１０・・・弁当容器、２０・・・本体、２１・・・ベース壁部、２２・・・側壁部、２３・・・鍔部、２４・・・開口、２５，２６・・・縁、２７・・・押圧部、２８・・・凹部、３０・・・蓋、Ｃ・・・内容物、Ｄ１・・・鍔部の外周縁の直径、Ｄ２・・・蓋の内径、Ｄ３・・・蓋の外径、Ｈ１・・・鍔部の高さ、Ｈ２・・・鍔部から押圧部までの高さ、Ｈ３・・・鍔部から突起までの高さ、Ｈ４・・・蓋の高さ、Ｍ・・・おかず又は具、Ｗ・・・ごはん。
【図１】
0003213297.tif 000003
【図２】
0003213297.tif 000004
【図３】
0003213297.tif 000005
【図４】
0003213297.tif 000006
【図５】
0003213297.tif 000007
【図６】
0003213297.tif 000008